(57)【要約】【課題】ＤＶＤ−Ｒに対するデータの記録において、データ領域に使用できない空き領域が生じるの抑え、データ領域を有効に使用することができるＤＶＤ記録装置を提供することにある。【解決手段】ＤＶＤ記録装置１は、ＤＶＤ−Ｒ１０のＲＭＡ１２にトラック毎に管理情報を記録するのではなく、セッション毎に管理情報を記録する。これにより、ＤＶＤ−Ｒ１０に記録することができる総トラック数を増加させることができ、データの記録に使用できない空き領域が生じるの抑えることができる。よって、光ディスクの記録領域を有効に使用することができる。【選択図】図１
2004342149.tif 000002
【特許請求の範囲】
【請求項１】
本体にセットされた追記型ＤＶＤに対して、トラック単位でデータを記録し、単一または複数のトラックを含むセッションの追記が行えるＤＶＤ記録装置において、
複数のトラックを含むセッションを記録する際に、各トラックの作成時にこのトラックにかかるトラック管理情報を次のトラックとの継ぎ目であるリンク領域に記録するトラック管理情報記録手段と、
セッションを閉じるとき、このセッションに含まれるトラックについて、上記リンク領域に記録したトラック管理情報に基づいて、このセッションにかかるセッション管理情報を生成するセッション管理情報生成手段と、
上記セッション管理情報生成手段により生成された上記セッション管理情報を追記型ＤＶＤに予め設けられているＲＭＡに記録するセッション管理情報記録手段と、を備えた光ディスク記録装置。
【請求項２】
本体にセットされた追記型光ディスクに対して、トラック単位でデータを記録する光ディスク記録装置において、
複数のトラックを含むセッションを記録する際に、各トラックの作成時にこのトラックにかかるトラック管理情報を次のトラックとの継ぎ目であるリンク領域に記録するトラック管理情報記録手段と、
セッションを閉じるとき、このセッションに含まれるトラックについて、上記リンク領域に記録したトラック管理情報に基づいて、このセッションにかかるセッション管理情報を生成するセッション管理情報生成手段と、
上記セッション管理情報生成手段により生成された上記セッション管理情報を光ディスクに予め設けられている管理情報記録領域に記録するセッション管理情報記録手段と、を備えた光ディスク記録装置。
【請求項３】
本体にセットされた追記型光ディスクに対して、トラック単位でデータを記録し、単一または複数のトラックを含むセッションの追記が行える光ディスク記録装置において、
複数のトラックを含むセッションを記録する際に、各トラックの作成時にこのトラックにかかるトラック管理情報を次のトラックとの継ぎ目であるリンク領域に記録するトラック管理情報記録手段と、
セッションを閉じるとき、このセッションに含まれるトラックについて、上記リンク領域に記録したトラック管理情報に基づいて、このセッションにかかるセッション管理情報を生成するセッション管理情報生成手段と、
上記セッション管理情報生成手段により生成された上記セッション管理情報を光ディスクに予め設けられている管理情報記録領域に記録するセッション管理情報記録手段と、を備えた光ディスク記録装置。
【請求項４】
上記光ディスクは、追記型ＤＶＤである請求項２、または３に記載の光ディスク記録装置。
【発明の詳細な説明】
【０００１】
【発明の属する技術分野】
この発明は、複数のトラックからなるセッションを光ディスクに記録する光ディスク記録装置に関し、特に追記型ＤＶＤにデータを記録するＤＶＤ記録装置に関する。
【０００２】
【従来の技術】
従来より、ＤＶＤ−Ｒ、ＣＤ−Ｒ等、追記型光ディスクにデータを記録する光ディスク記録装置が実用化され、一般に普及している。追記型光ディスクでは、光ディスクに記録されたデータの管理情報、例えば開始アドレス、終了アドレス、を記録する領域が予め設けられている。光ディスク記録装置は、光ディスクに対するデータの記録やデータの再生において、この管理情報を利用する。
【０００３】
ところで、光ディスクは上記管理情報の記録に制限があり、この制限によって光ディスク上にデータが記録されていない空き領域があっても、この空き領域にデータを記録できないことがある。例えば、特許文献１に示されているように、ＣＤ−Ｒは記録できる管理情報が９９であるため、９９トラックを超えるデータを１枚のＣＤ−Ｒに記録することができない。このため、９９トラックのデータを記録したＣＤ−Ｒに、データが記録されていない空き領域があると、この空き領域が無駄になる。
【０００４】
そこで、特許文献１では、ＣＤ−Ｒの記録領域を有効に利用するために（使用できない空き領域を抑えるために）、トラック番号が９９になると、トラック番号を９９に固定し、インデックス番号を１〜９９に１番ずつ増加させることが提案されている。具体的には、インデックス番号を付した複数のトラックの管理情報を、トラック番号９９の管理情報として記録することで、ＣＤ−Ｒに対して実際には９９トラックを超えるデータの記録が行えるようにしている。
【０００５】
【特許文献１】
特開２００２−２７９７６８号公報
【０００６】
【発明が解決しようとする課題】
しかしながら、追記型光ディスクにおいては、上記管理情報を記録する管理情報記録領域が光ディスクの特定の位置に設けられている。また、この管理情報記録領域の大きさも、規格で決められている。特許文献１で提案されている方式では、ＣＤ−Ｒの規格で制限されている９９トラックを超えるデータの記録が行えるものの、インデックス番号を付したトラックについても、それぞれ管理情報を管理情報記録領域に記録する。したがって、この管理情報記録領域がいっぱいになると、光ディスクにデータが記録されていない空き領域があっても、この空き領域にデータを記録することができず、この空き領域が無駄になる。
【０００７】
特に、ＤＶＤ−Ｒのようにデータ領域が大きい光ディスク（ＤＶＤ−Ｒのデータ領域は４．７Ｇｂｙｔｅ）では、データ領域がいっぱいになる前に、管理情報記録領域、所謂ＲＭＡ（Ｒｅｃｏｒｄｉｎｇ  Ｍａｎａｇｅｍｅｎｔ  Ａｒｅａ）、がいっぱいになる可能性が高く、データ領域にデータを記録することができない無駄が生じやすい。
【０００８】
なお、ＤＶＤ−ＲのＲＭＡの大きさは、３２ｋｂｙｔｅであり、上記管理情報を７００個記録できる大きさである。したがって、トラックの平均が約６．７Ｍｂｙｔｅ以下であると、データ領域に使用できない空き領域が生じる。
【０００９】
また、１枚のＤＶＤ−Ｒに作成することができるトラックの最大数は規格上２３０２トラックである。したがって、７００トラックのデータを記録したＤＶＤ−Ｒに、データが記録されていない空き領域がデータ領域の半分以上になることもある。
【００１０】
この発明の目的は、追記型光ディスク、特にＤＶＤ−Ｒ、に対するデータの記録において、データ領域に使用できない空き領域が生じるの抑え、データ領域を有効に使用することができる光ディスク記録装置、特にＤＶＤ記録装置、を提供することにある。
【００１１】
【課題を解決するための手段】
この発明の上記課題を解決するために、以下の構成を備えている。
【００１２】
本体にセットされた追記型光ディスクに対して、トラック単位でデータを記録する光ディスク記録装置において、
複数のトラックを含むセッションを記録する際に、各トラックの作成時にこのトラックにかかるトラック管理情報を次のトラックとの継ぎ目であるリンク領域に記録するトラック管理情報記録手段と、
セッションを閉じるとき、このセッションに含まれるトラックについて、上記リンク領域に記録したトラック管理情報に基づいて、このセッションにかかるセッション管理情報を生成するセッション管理情報生成手段と、
上記セッション管理情報生成手段により生成された上記セッション管理情報を光ディスクに予め設けられている管理情報記録領域に記録するセッション管理情報記録手段と、を備えている。
【００１３】
この構成では、本体にセットされている追記型光ディスク、例えばＤＶＤ−Ｒ、に対するデータの記録を、トラックアットワンス方式（トラック単位でデータを記録する方式）で行うとき、トラック管理情報記録手段がトラックの作成時にこのトラックにかかる管理情報を、次のトラックとの継ぎ目であるリンク領域に記録する。上記トラックの作成時とは、このトラックにかかるデータを光ディスクに記録したときである。
【００１４】
また、周知のように、トラックアットワンス方式で光ディスクにデータを記録すると、１トラックのデータを記録すると、次のトラックとの継ぎ目になる上記リンク領域が形成される。従来、このトラックの継ぎ目であるリンク領域にデータを記録していない。したがって、トラック管理情報記録手段がリンク領域にトラックにかかる管理情報を記録しても何ら問題はない。また、リンク領域は、１０数Ｋｂｙｔｅの大きさであるので、トラック管理情報を十分に記録することができる大きさである。トラック管理情報は、このトラックの開始アドレス、終了アドレス、および次のトラックの開始アドレスを含んでいる。
【００１５】
セッション管理情報生成手段が、記録した複数のトラックを１つのセッションとして閉じるときに、セッション管理情報、すなわちこのセッションに含まれている複数のトラックに関する情報を生成する。例えば、このセッションの開始アドレス、および終了アドレスを含むセッション管理情報を生成する。そして、セッション管理情報記録手段がこの光ディスクに予め設けられている管理情報記録領域、例えばＤＶＤ−ＲであればＲＭＡ（Ｒｅｃｏｒｄｉｎｇ  Ｍａｎａｇｅｍｅｎｔ  Ａｒｅａ）に、セッション管理情報を記録する。
【００１６】
なお、セッションを閉じるときには、このセッションについてのリードイン、およびリードアウトが光ディスクに記録される。
【００１７】
このように、管理情報記録領域に、トラック毎にトラック管理情報を記録するのではなく、１つ、または複数のトラックからなるセッション毎に、このセッションにかかるセッション管理情報を記録するので、光ディスクに記録できるトラック数を増加させることができる。これにより、光ディスクのデータ領域に、データを記録することができない、無駄な空き領域が生じるのを抑えることができ、光ディスクのデータ領域を有効に利用することができる。
【００１８】
また、光ディスク装置は、光ディスクにセッションを追記できるものであってもよい。
【００１９】
【発明の実施の形態】
以下、この発明の実施形態であるＤＶＤ記録装置について説明する。
【００２０】
図１は、この発明の実施形態であるＤＶＤ記録装置の構成を示すブロック図である。この実施形態のＤＶＤ記録装置１は、本体の動作を制御する制御部２と、本体にセットされたＤＶＤ１０に対するデータの記録、およびＤＶＤ１０に記録されているデータの読み取りを行う記録／読取部３と、パーソナルコンピュータ等の外部機器からＤＶＤ１０に記録するデータの入力を受け付ける入力部４と、入力部４に入力されたデータをエンコードするエンコーダ５と、記録／読取部３がＤＶＤ１０から読み取ったデータをデコードするデコーダ６と、デコーダ６でデコードされたデータをパーソナルコンピュータ等の外部機器に出力する出力部７と、を備えている。
【００２１】
記録／読取部３は、本体にセットされたＤＶＤ１０、例えばＤＶＤ−Ｒを保持して回転させるスピンドルモータや、このＤＶＤ１０にレーザ光を照射するとともに、その反射光を検出するピックアップヘッド、ピックアップヘッドをＤＶＤ１０の半径方向に移動させるモータ、ＤＶＤ１０に照射するレーザ光のパワーを制御するレーザドライバ等を有している。入力部４はパーソナルコンピュータ等から送られてきたＤＶＤ１０に記録するデータの入力を受け付け、エンコーダ５は入力部４が受け付けたデータをＭＰＥＧ２等の所定の形式に圧縮する。また、入力部４にはＤＶＤ１０に記録するデータだけでなく、データの記録開始、読取開始、一時停止等、本体の制御部２に対する制御信号も入力される。デコーダ６は、記録／読取部３がＤＶＤ１０から読み取ったデータを伸長し、出力部７はデコーダ６が伸長したデータをパーソナルコンピュータ等へ送る。
【００２２】
ここで、追記型光ディスクであるＤＶＤ−Ｒについて簡単に説明しておく。ＤＶＤ−Ｒ１０は、図２に示すように、内周側からＰＣＡ１１（Ｐｏｗｅｒ  Ｃａｌｉｂｒａｔｉｏｎ  Ａｒｅａ）、ＲＭＡ１２（Ｒｅｃｏｒｄｉｎｇ  Ｍａｎａｇｅｍｅｎｔ  Ａｒｅａ）、データ領域１３がこの順に形成されている。ＰＣＡ１１は、ＤＶＤ−Ｒ１０にデータを記録するときに、レーザ光の最適記録パワーを決定するＯＰＣを実行するための領域である。ＲＭＡ１２は、データ領域１３に記録されたデータの管理情報が記録される領域であり、この発明で言う管理情報記録領域に相当する。このＲＭＡ１２は、管理情報を７００個記録できる大きさである。また、この実施形態のＤＶＤ記録装置１は、このＲＭＡ１２にトラック毎に管理情報（この発明で言うトラック管理情報）を記録するのではなく、後述するようにセッション毎に管理情報（この発明で言うセッション管理情報）を記録する。セッションとは、図３に示すように、リードイン、１または複数のトラック、トラックの継ぎ目であるリンク領域、およびリードアウトによって構成される（図３参照）。
【００２３】
この実施形態のＤＶＤ記録装置１は、周知のトラックアットワンス方式により、ＤＶＤ−Ｒにデータを記録する。トラックアットワンス方式では、１トラック分のデータを記録すると、次のトラックとの間にリンク領域を形成する。また、セッションを閉じるときに、リードイン、およびリードアウトを記録する。リードインには、このセッションに含まれているトラックの情報が記録される。
【００２４】
また、この実施形態のＤＶＤ記録装置１は、本体にセットされているＤＶＤ−Ｒ１０に対して、セッションの追記が行える。
【００２５】
次に、この発明の実施形態であるＤＶＤ記録装置１の動作について説明する。図４は、この実施形態のＤＶＤ記録装置における記録処理を示すフローチャートである。ＤＶＤ記録装置１は、本体に対してＤＶＤ−Ｒ１０へのデータの記録開始の指示あると、この記録処理を実行する。ＤＶＤ記録装置１は、本体にセットされているＤＶＤ−Ｒ１０をスピンドルモータの回転軸に保持し、このＤＶＤ−Ｒ１０を予め定められた回転速度で回転させる。そして、ＤＶＤ−Ｒ１０のＰＣＡ１１においてＯＰＣを行い（ｓ１）、レーザ光の最適記録パワーを決定する。このＯＰＣについては公知であるので、ここでは説明を省略する。
【００２６】
ＤＶＤ記録装置１は、ＯＰＣを完了すると、ＤＶＤ−Ｒ１０のデータ領域１３におけるデータの未記録領域の先頭を検出し（ｓ２）、その直前がトラックであるかどうかを判定する（ｓ３）。
【００２７】
ｓ３でトラックでないと判定した場合、すなわちデータが記録されていない未使用のＤＶＤ−Ｒ１０である場合、または前回の記録時にセッションが閉じられリードアウトが形成されている場合、ｓ２で検出した未記録領域の先頭からリードインの形成に必要な領域が確保される位置を、今回のデータの記録開始位置に決定する（ｓ６）。具体的には、ｓ２で検出した未記録領域の先頭から、リードインの形成に必要な領域をあけた位置を、今回のデータの記録開始位置に決定する。
【００２８】
一方、ｓ３でトラックであると判定した場合、すなわち前回のデータの記録終了時にセッションが閉じられていなかった場合、この直前のトラックの後ろに、このトラックと次のトラック（これからデータを記録するトラック）との継ぎ目になるリンク領域を作成し（ｓ４）、このリンク領域に直前のトラックの開始アドレス、終了アドレス、および次のトラックの開始アドレスを含むトラック管理情報を記録する（ｓ５）。従来のＤＶＤ記録装置では、上記リンク領域に対して何らデータを記録していなかったので、このリンク領域にトラック管理情報を記録することによる不都合はない。そして、ｓ５で作成したリンク領域の直後の位置を今回のデータの記録開始位置に決定する。
【００２９】
ＤＶＤ記録装置１は、上記ｓ１〜ｓ６の処理を完了すると、外部機器から入力部４に入力されたデータをエンコーダ５で圧縮し、例えばＭＰＥＧ２形式で圧縮し、この圧縮したデータを記録／読取部３によりＤＶＤ−Ｒ１０のデータ領域に記録する。このとき、ＤＶＤ記録装置１は、トラックアットワンス方式でＤＶＤ−１０にデータを記録する。データの記録は、ＯＰＣにより決定した最適記録パワーで行われる。
【００３０】
ＤＶＤ記録装置１は、ＤＶＤ−Ｒ１０に１トラック分のデータを記録すると（ｓ７）、引き続いて記録するデータがあるかどうかを判定する（ｓ８）。ｓ８で、引き続いて記録するデータがあると判定すると、ｓ４に戻りリンク領域を作成し、ここで作成したリンク領域にトラック管理情報を記録し（ｓ５）、１トラック分のデータを記録する（ｓ７）、処理を繰り返す。
【００３１】
ＤＶＤ記録装置１は、ｓ８で引き続いて記録するデータが無いと判定すると、セッションを閉じるかどうかを判定する（ｓ９）。ｓ９では、ユーザによる、セッションを閉じる、または閉じない、の入力操作に応じて判定する。ＤＶＤ記録装置１は、ここでセッションを閉じないと判定すると、ＤＶＤ−Ｒ１０に対するデータの記録を終了する。反対に、ｓ９でセッションを閉じると判定すると、リードイン、およびリードアウトを記録する（ｓ１０）。ｓ１０では、今回閉じたセッションに含まれている各トラックの開始アドレス、終了アドレスをリードインに記録する。そして、今回閉じたセッションの開始アドレス、終了アドレスを含むセッション管理情報を生成し（ｓ１１）、ここで生成したセッション管理情報をＤＶＤ−Ｒ１０のＲＭＡ１２に記録し（ｓ１２）、本処理を終了する。
【００３２】
上記説明におけるｓ４、ｓ５がこの発明で言うトラック管理情報記録手段に相当し、ｓ１１がこの発明で言うセッション管理情報生成手段に相当し、ｓ１２がセッション管理情報記録手段に相当する。
【００３３】
このように、この実施形態のＤＶＤ記録装置１は、ＤＶＤ−Ｒ１０のＲＭＡ１２に各トラックのトラック管理情報を記録するのではなく、各セッションのセッション管理情報を記録する構成としたので、１枚のＤＶＤ−Ｒ１０に７００トラックを超えるデータを記録することができる。したがって、ＤＶＤ−Ｒ１０のデータ領域１３に、データを記録することができない、無断な領域が生じるのを抑えることができ、ＤＶＤ−Ｒ１０のデータ領域１３を有効に利用できる。
【００３４】
なお、上記説明から明らかなように、１枚のＤＶＤ−Ｒ１０に記録できるセッションの最大数は７００であるが、１セッションには図３に示したように、リードイン、およびリードアウトが含まれている。そして、このリードイン、およびリードアウトに必要な大きさが約１４Ｍｂｙｔｅであることから、ＤＶＤ−Ｒに７００セッション記録するには、リードイン、およびリードアウトに９．８Ｇｂｙｔｅ必要になる。この９．８Ｇｂｙｔｅという大きさは、一般的なＤＶＤ−Ｒ１０のデータ領域（４．７Ｇｂｙｔｅ）よりも大きいことから、ＤＶＤ−Ｒ１０に７００セッション記録されたときのことについてまで考慮する必要ない（ＤＶＤ−Ｒ１０に７００セッション記録することはできない。）。
【００３５】
また、上記実施形態ではｓ１１でセッションを閉じるかどうかを判定するとしたが、ｓ１１の判定を無くし、自動的にセッションを閉じるようにしてもよい。この場合、記録処理は図５に示す処理となる。この図から明らかなように、図４におけるｓ３の処理が不要になり、本処理が簡単になる。
【００３６】
なお、図５では図４で説明した処理と同じ処理については、同じステップ番号（ｓ＊＊）を付している。この図からも明らかなように、図４における処理ｓ３、ｓ９の判定にかかる処理が不要になる。
【００３７】
また、この実施形態のＤＶＤ記録装置１は、上記図４（または図５）に示す処理を実行することにより、ＤＶＤ−Ｒ１０に対してセッションの追記が行える。言い換えれば、すでにセッションが記録されているＤＶＤ−Ｒ１０に対して、セッションを記録することができる。
【００３８】
また、ＲＭＡ１２に各トラックのトラック管理情報が記録されないが、各セッションのリードインに、このセッションに含まれているトラックにかかるトラック管理情報が記録されるので、この点についても特に問題はない。
【００３９】
また、上記実施形態では追記型のＤＶＤとしてＤＶＤ−Ｒを例にしたが、ＤＶＤ−ＲＷや、ＤＶＤ以外の光ディスクであっても同様の効果を奏する。
【００４０】
【発明の効果】
以上のように、この発明によれば、光ディスクに予め設けられている管理情報記録領域に、管理情報をトラック毎に記録するのではなく、セッション毎に記録する構成としたので、光ディスクに記録することができる総トラック数を増加させることができる。これにより、光ディスクのデータ領域にデータを記録することができない空き領域が発生するのを抑えられ、光ディスクのデータ領域を有効に利用することができる。
【図面の簡単な説明】
【図１】この発明の実施形態である光ディスク記録装置の構成を示すブロック図である。
【図２】ＤＶＤ−Ｒにおける記録領域の構成を示す図である。
【図３】ＤＶＤ−Ｒに記録されるセッションの構成を示す図である。
【図４】この実施形態の光ディスク記録装置における記録処理を示すフローチャートである。
【図５】別の実施形態の光ディスク記録装置における記録処理を示すフローチャートである。
【符号の説明】
１−ＤＶＤ記録装置
２−制御部
３−読取／記録部
４−入力部
５−エンコーダ
６−デコーダ
７−出力部
１０−ＤＶＤ（ＤＶＤ−Ｒ）
１１−ＰＣＡ
１２−ＲＭＡ
１３−データ領域
【図１】
2004342149.tif 000003
【図２】
2004342149.tif 000004
【図３】
2004342149.tif 000005
【図４】
2004342149.tif 000006
【図５】
2004342149.tif 000007